(57)【要約】【課題】筬８を設けられたエア・ジェット織機において挿入された緯糸を保持する方法を提案すること。【解決手段】この方法において、緯糸がエア・ジェット織機に挿入され、ノズル３によって緯糸挿入方向９から偏向され、捕捉チャネル５の受容開口部５ａ内に吹き込まれ、同捕捉チャネル内に保持される。ノズル３及び捕捉チャネル５のポジションが、この目的のため、筬の幅内で所望の布幅に適合される。前記の方法においては、ノズル３及び捕捉通路５が筬８の筬打ち側に配置される。【選択図】図２
2008063715.tif 000002
【特許請求の範囲】
【請求項１】
筬（８）が設けられたエア・ジェット織機において挿入された緯糸を保持するための方法であって、
前記緯糸が前記エア・ジェット織機内に挿入され、
前記緯糸が、ノズル開口部を有するノズル（３）によって緯糸挿入方向（９）から偏向され且つ捕捉チャネル（５）の受容開口部（５ａ）内に導かれ、
前記緯糸が前記捕捉チャネル（５）内に保持され、且つ
前記ノズル（３）及び前記捕捉チャネル（５）のポジションが、前記筬（８）の幅内で所望の布幅に適合される方法において、
前記ノズル（３）の前記ノズル開口部及び前記捕捉チャネル（５）が前記筬（８）の筬打ち側に配置されることを特徴とする方法。
【請求項２】
前記緯糸が、前記ノズル（３）によって前記緯糸挿入方向（９）に対し横断方向に偏向される、請求項１に記載の方法。
【請求項３】
前記ノズル（３）がノズル・チューブ（３ａ）を含み、該ノズル・チューブが少なくとも部分的に前記筬（８）の、特に下部筬ノーズ（８ｃ）の領域の、２つの筬羽の間に配置される、請求項１又は請求項２に記載の方法。
【請求項４】
前記捕捉チャネル（５）内に導入された緯糸が第２ノズル（４）によって前記捕捉チャネル（５）の前記受容開口部（５ａ）から吹き出される、請求項１から３のいずれか一項に記載の方法。
【請求項５】
前記緯糸が前記捕捉チャネル（５）によって、前記筬（８）に設けられた緯糸チャネル（８ｂ）内に戻される、請求項１から４のいずれか一項に記載の方法。
【請求項６】
エア・ジェット織機において挿入された緯糸を保持するための、筬（８）が設けられたストレッチング装置であって、同ストレッチング装置（１）が、捕捉チャネル（５）と、ノズル開口部を有するノズル（３）であって、同ノズルの吹込み方向が緯糸挿入方向（９）と異なり、それによって前記緯糸の端部を前記ノズル（３）によって前記緯糸挿入方向（９）から前記捕捉チャネル（５）の受容開口部（５ａ）内に導くノズル（３）と、前記捕捉チャネル（５）及び前記ノズル（３）を固定し且つ前記ストレッチング装置（１）を前記筬（８）の幅内で変位可能に配置するための、少なくとも１つの固定部品（２ａ、２ｂ、２ｃ）とを含むストレッチング装置において、前記捕捉チャネル（５）及び前記ノズル（３）の前記ノズル開口部が前記少なくとも１つの固定部品（２ａ、２ｂ、２ｃ）によって前記筬（８）の筬打ち側に設置されることを特徴とするストレッチング装置。
【請求項７】
前記ノズル（３）の吹込み方向が前記緯糸挿入方向（９）に対し横断方向である、請求項６に記載のストレッチング装置。
【請求項８】
前記ノズル（３）が少なくとも１つの領域（３ａ’）で楕円状若しくは扁平状断面を有するノズル・チューブ（３ａ）を含み、それによって前記ノズル・チューブ（３ａ）が前記筬（８）の、特に下部筬ノーズ（８ｃ）の領域の、２つの筬羽の間に配置される、請求項６又は請求項７に記載のストレッチング装置。
【請求項９】
前記捕捉チャネル（５）内に挿入された緯糸を前記捕捉チャネルの前記受容開口部（５ａ）から吹き出すための第２ノズル（４）を含む、請求項６から８のいずれか一項に記載のストレッチング装置。
【請求項１０】
前記第２ノズル（４）が前記捕捉チャネル（５）及び／又は同捕捉チャネルの固定部品（２ａ、２ｂ）に配置される、請求項６から９のいずれか一項に記載のストレッチング装置。
【請求項１１】
前記捕捉チャネル（５）が、前記筬（８）に設けられた緯糸チャネル（８ｃ）に前記緯糸を戻すための少なくとも１つの曲部を含む、請求項６から１０のいずれか一項に記載のストレッチング装置。
【請求項１２】
請求項１から５のいずれか一項に記載の方法を実行するように装備され、又は請求項６から１０のいずれか一項に記載のストレッチング装置（１）を備えるエア・ジェット織機。
【発明の詳細な説明】
【技術分野】
【０００１】
本発明は、請求項１の序文による、挿入された緯糸を保持する方法に関し、且つ請求項６の序文による相応のストレッチング装置に関し、且つ又はそのような方法を実施するための、又はそのようなストレッチング装置が設けられた織機に関する。
【背景技術】
【０００２】
エア・ジェット織機においては、糸貯蔵所から引き出された緯糸がメイン・ノズル及びタンデム・ノズルを経て加速され、杼口に挿入され、ここでいわゆる補助ノズル又はリレー・ノズルの助勢により更に先に送られる。緯糸挿入中、緯糸は筬に形成された緯糸チャネルに導かれる。筬に次いで、通常は、緯糸の端部を捕捉側でストレッチし、且つしっかりと保持するためのストレッチング装置が設けられている。しばしば、捕捉装置若しくは保持装置と称されるストレッチング装置においては、緯糸の端部が捕捉側でノズル・ジェットに接し、捕捉チューブ又は捕捉チャネルの開口部に指向され、同開口部でノズル・ジェットのエア流によって保持される。ストレッチング・ノズルのこの構成の欠点は、筬及び、所要の場合にはクロス・テーブルを布幅の変化に合わせて調節しなければならないという状況である。
【０００３】
特開平８−１１３８５２号公報では、ストレッチング装置を図１から図４に示し、同装置は筬の幅内で構成されるため、筬を布幅に合わせて調節する必要がない。示されたストレッチング装置は、筬の筬打ち側に配置されたノズル・ブロック並びに筬の対向側に配置された捕捉チューブを含む。同ノズル・ブロックに含まれるノズルにより、緯糸の捕捉側端部が緯糸挿入方向から偏向され、筬の筬羽の間に形成された間隙を経て捕捉チューブの開口部内に指向される。特開平８−１１３８５２号公報に示されたストレッチング装置には、筬羽間の間隙形成が不十分で間隙に乱流が生起する可能性があるため、緯糸が捕捉チューブの開口部で受け入れられる信頼性が保証されないという欠点がある。他方、筬羽間の間隙を十分大きくした場合には、影響を受けた筬羽が変形して修復不能となり、布幅を後の時点で広げたときの布の欠陥がこの時点で生起し得るという危険性がある。
【発明の開示】
【発明が解決しようとする課題】
【０００４】
本発明の目的は、エア・ジェット織機において挿入された緯糸を保持するための方法及びストレッチング装置において、ストレッチング装置を筬の幅内で変位可能に構成し、それによって布幅の変化に対する筬及びクロス・テーブルの調節を回避可能とする方法及びストレッチング装置を利用可能とすることにある。更に、ストレッチング装置のために筬羽を修復不能に変形させることは極力避けなければならない。本発明の更に別の目的は、そのような方法及びそのようなストレッチング装置を有する織機を利用可能とすることにある。
【課題を解決するための手段】
【０００５】
この目的は、本発明によって、請求項１に特徴付けられた方法により、且つ請求項６に特徴付けられたストレッチング装置により、且つ又は請求項１２に特徴付けられたエア・ジェット織機によって達成される。
【０００６】
筬を設けられたエア・ジェット織機において挿入された緯糸を保持するための、本発明の方法においては、緯糸は、エア・ジェット織機内に挿入され、緯糸挿入方向からノズル開口部を有するノズルによって偏向され、捕捉チャネルの受容開口部内に吹き込まれ、同捕捉チャネルで保持される。ノズル及び捕捉チャネルのポジションは、筬の幅内で所望の布幅、即ち、製造される布の幅に適合される。本方法は、ノズルのノズル開口部及び捕捉チャネルが前記筬の筬打ち側に配置されることを特徴とする。緯糸は、ノズルによって緯糸挿入方向に対し横断方向、例えば緯糸挿入方向に対しほぼ垂直に延びる方向に偏向されるのが有利とされる。
【０００７】
有利な実施例においては、ノズルはノズル・チューブを含み、同ノズル・チューブは少なくとも一部が筬の、例えば下部筬ノーズの領域の、例えばノズル開口部寄りに配置された領域の、２つの筬羽の間に配置される。
【０００８】
更に別の有利な実施例においては、捕捉チャネル内に導入された緯糸が第２ノズルによって捕捉チャネルの受容開口部から吹き出される。これは、緯糸がきわめて長く且つ筬打ち後の筬の逆方向運動によっても捕捉チャネルから完全に引き出し得ないときに特に有利である。第１ノズルは、ノズル・ジェットが筬打ち後に中断するようにタイミングを調節されるのが好都合である。
【０００９】
更に別の有利な実施例においては、緯糸は捕捉チャネルによって、筬に設けられた緯糸チャネルに戻される。
【００１０】
筬を設けられたエア・ジェット織機において挿入された緯糸を保持するための、本発明によるストレッチング装置は、捕捉チャネルと、ノズル開口部を有するノズルであって、同ノズルの吹込み方向が緯糸挿入方向と異なり、それによって緯糸の端部をノズルによって緯糸挿入方向から偏向し、捕捉チャネルの受容開口部内に吹き込むノズルとを含む。このために、ノズル及び捕捉チャネルは、緯糸の端部をノズルによって緯糸挿入方向から偏向可能とし、且つ捕捉チャネルの受容開口部内に吹込み可能とするように設計され且つ設置可能とするのが好都合である。更にまた、本ストレッチング装置は、捕捉チャネル及びノズルを固定するため且つストレッチング装置を筬の幅内で変位可能に配置するための、少なくとも１つの固定部品を含む。このために、該少なくとも１つの固定部品はストレッチング装置を筬の幅内で変位可能且つ設置可能とするように設計されるのが好都合である。本ストレッチング装置は、捕捉チャネル及びノズルのノズル開口部が少なくとも１つの固定部品によって筬の筬打ち側に設置可能とされることを特徴とする。そのため、該少なくとも１つの固定部品は、捕捉チャネル及びノズル開口部を同固定部品によって筬の筬打ち側に設置可能とするように設計されるのが好都合である。ノズルの吹込み方向は、緯糸挿入方向に対し横断方向、例えば緯糸挿入方向に対しほぼ垂直に指向されるのが有利である。
【００１１】
有利な実施例においては、ノズルは、少なくとも１つの領域、例えばノズル開口部寄りで楕円状若しくは浅い断面を有するノズル・チューブを含み、それによって前記ノズル・チューブは前記筬の、例えば下部又は上部筬ノーズの領域の、２つの筬羽の間に配置され、且つそれによって筬の損傷を極力回避する。
【００１２】
更に別の有利な実施例においては、本ストレッチング装置は、捕捉チャネル内に導入された緯糸を捕捉チャネルの受容開口部から吹き出すための第２ノズルを含む。このために、第２ノズルは捕捉チャネル内に導入された緯糸を同ノズルによって捕捉チャネルの受容開口部から吹出し可能とするように設計され且つ配置されるのが好都合である。第２ノズルは捕捉チャネル及び／又は捕捉チャネルの固定部品に配置されるのが有利である。
【００１３】
更に別の有利な実施例においては、捕捉チャネルは、筬に設けられた緯糸チャネルに緯糸を戻すための少なくとも１つの曲部を含む。このために、捕捉チャネルはその出口が、即時作動可能な状態の緯糸チャネルを目指すように曲折され且つ設置可能とされるのが好都合である。
【００１４】
本発明は、また更に上述の実施例の１つによる筬及びストレッチング装置を含む構成を含む。
【００１５】
更になお、本発明は、以上の記載による方法を実行するように装備され、又は、以上に記載の実施例の１つ又は以上に記載の構成によるストレッチング装置を備えるエア・ジェット織機を含む。
【００１６】
本発明の方法及びエア・ジェット織機において挿入された緯糸を保持するための、本発明によるストレッチング装置は、布幅の変化及び特に縮小に対し、本ストレッチング装置のノズル及び捕捉チャネルは筬の幅内で変位可能に配置されるため、筬及びクロス・テーブルの調節を省くことが可能であることを長所とする。更にまた、ノズル・チューブの扁平な設計により、筬羽の修復不能な変形は概ね回避可能である。なお又は、ノズル・チューブが下部筬ノーズの領域に配置されるため、筬羽の変形は、かなりの程度、弾性的性質の部分とされる利点がある。上記の方法及び上記のストレッチング装置は、固定部品が例えば個別の実施例によって形成される場合でも、全ての現行の筬の高さに対して適格とされる。尚更に、本書で説明の方法及び本書で説明のストレッチング装置を使用することにより、フラットな緯糸及び標準の緯糸とも、良好な信頼性を以て保持可能である。
【００１７】
実施例に関する以上の説明は例示にすぎない。更に有利な実施例は、従属請求項及び図面から理解可能である。更に、本発明の文脈において、記載された実施例又は図示された実施例から且つ記載又は図示された変形から得られる個別の特徴は相互の組合わせによって新たな実施例を形成することが可能である。
【００１８】
以下に、本発明を具体的な実施例及び図面を参照して更に詳細に説明する。
【実施例】
【００１９】
図１及び図２に示す、本発明によるストレッチング装置の実施例は、筬８が設けられたエア・ジェット織機において挿入された緯糸を保持するために役立つ。筬８は、複数の筬羽８ａを含み、且つ、例えば、図１に示すように、スレイ７上に配置することが可能である。本発明によるストレッチング装置は、捕捉チャネル５を有する捕捉部１．２と、ノズル開口部を有したノズル３を有するノズル部１．１とを有し、ノズルの吹込み方向が緯糸挿入方向９から偏向されている。ノズル３によって、捕捉側の緯糸の端部は緯糸挿入方向９から偏向され、捕捉チャネル５の受容開口部５ａ内に吹き込まれる。受容開口部５ａは、例えば、図２に示すように、上部筬ノーズ脇に配置され得る。
【００２０】
更に、ストレッチング装置１は、捕捉チャネル５及びノズル３を固定し且つストレッチング装置を筬８の幅内で変位可能にアレンジするための少なくとも１つの固定部品を含む。固着のためには、複数の固定部品２ａ、２ｂ、２ｃを、例えば、図１及び図２に示すように設けることができ、且つノズル３は、例えばそれ自体の固定部品２ｃによって筬２に変位可能に配置可能である。そのため、例えばスレイ沿いに延在する溝を、リレー・ノズルの固定のために使用されるように、使用することができる。捕捉チャネル５は、例えば、図１及び図２に示すように、筬８の上部に１つ又は複数の固定部品２ｂ、２ｃによって変位可能に配置することができる。更に、捕捉チャネル５はスレイ７に、例えばスレイ沿いに延在する溝によって変位可能に固定することができる。
【００２１】
捕捉チャネル５及びノズル開口部及び／又はノズルは、緯糸がノズル３によって捕捉チャネル５の受容開口部５ａ内に直接偏向可能にされるように筬８の筬打ち側に固定部品によって設置でき、例えばその場合に、ノズル３の吹込み方向は捕捉チャネルの受容開口部５ａに向けられる。１つの有利な変形においては、捕捉チャネル５は、第１区分で上向き又は下向きに、即ち、筬羽の方向に対しほぼ平行或いは鋭角で、例えば４５度を超えない鋭角で延びる。更に別の有利な変形においては、ノズル３の吹込み方向は緯糸挿入方向に対し横断方向、例えば図１に示すように緯糸挿入方向に対しほぼ直角に向けられる。
【００２２】
有利な実施例においては、ノズル３はノズル・チューブ３ａを含み、同ノズル・チューブは、これを筬８の、例えば下部筬ノーズ８ｃの領域で２つの筬羽の間に配置するため、少なくとも領域３ａ’、例えばノズル開口部側においては、楕円形状若しくは扁平形状の断面を有する。１つの有利な変形においては、ノズル・チューブにクロス・テーブルが接触するのを避けるため、ノズル開口部は筬ノーズ８ｃのアウトラインと同一面若しくはほとんど同一面にされ、偏差は＋／−２ｍｍ若しくは＋／−５ｍｍ未満が有利である。更に別の有利な変形においては、ノズル部１．１はブロー媒体供給部３’を含む。
【００２３】
更に別の有利な実施例においては、ストレッチング装置１は、捕捉チャネル５内に導入された緯糸を捕捉チャネルの受容開口部５ａから吹き出すための第２ノズル４を含む。第２ノズル４は、例えば、図１に示すように、捕捉部１．２に設けることができ、ノズル開口部は受容開口部５ａの近傍に配置されるのが有利である。第２ノズル４は、しかし、別個に、例えば筬８の２つの筬羽の間に配置することも可能である。
【００２４】
また別の有利な実施例においては、図１に示すように、緯糸を筬８内に設けられた緯糸チャネル８ｂに戻すため、捕捉チャネル５は少なくとも１つの曲部を有する。端縁を設けるのが有利である受容開口部５ａにおける偏向によって、且つ上述の捕捉チャネル５の曲部によって、緯糸は二度偏向され且つ保持力が増大される。
【００２５】
筬８を設けたエア・ジェット織機において挿入された緯糸を保持するための本発明による方法の一実施例を図１及び図２を参照して以下に説明する。該方法においては、緯糸はエア・ジェット織機内に挿入され、ノズル開口部を有するノズル３によって緯糸挿入方向９から逸れて偏向され、捕捉チャネル５の受容開口部５ａ内に吹き込まれ且つ同内に保持される。ノズル３及び捕捉チャネル５のポジションは、この目的のために筬８の幅内で、製造される布の幅に合わせられる。本方法は、ノズル３のノズル開口部及び捕捉チャネル５が筬８の筬打ち側に配置されることを特徴とする。ノズル開口部及び捕捉チャネル５は、緯糸がノズルによって直接捕捉チャネル内に吹き込まれるように配置されるのが有利である。
【００２６】
有利な実施例においては、緯糸はノズル３によって緯糸挿入方向９に対し横断する方向、例えば緯糸挿入方向に対しほぼ垂直に延びる方向に偏向される。緯糸の受容開口部５ａにおける偏向の結果として生起される摩擦が増大されるように、端縁が受容開口部５ａに形成されることが有利である。
【００２７】
有利な実施例においては、ノズル３はノズル・チューブ３ａを含み、同ノズル・チューブは、少なくとも一部が、例えばノズル開口部寄りに配置された領域３ａ’に、筬８の、例えば下部筬ノーズ８ｃの領域の、２つの筬羽の間に配置される。ノズル３ａの断面はこの領域で楕円形状若しくは扁平状とするのが有利である。
【００２８】
更に別の実施例においては、捕捉チャネル５内に挿入された緯糸は、第２ノズル４によって捕捉チャネルの受容開口部５ａから吹き出される。これは、緯糸がきわめて長く且つ筬の戻り運動による筬打ち後に捕捉チャネル外に十分に引き出されないときに特に有利である。有利な変形においては、２つのノズル３及び４は個別にタイミングを調節され、且つそれぞれのバルブによってブロー媒体、例えばエアをそれぞれ供給される。第２ノズル４は吹出し中にブロー媒体を供給され、対して第１ノズル３は、例えば、ノズル・ジェットが筬打ち後に中断されるようにタイミングを調節されるのが有利である。
【００２９】
更に別の実施例においては、緯糸は捕捉チャネル５によって、筬８に設けられた緯糸チャネル８ｂに戻され、例えばその場合に、捕捉チャネルはその出口が緯糸チャネルに向けて開くように曲折され且つ配置される。
【００３０】
エア・ジェット織機に挿入された緯糸を保持するための本発明による方法及び本発明によるストレッチング・ノズルは、筬及びクロス・テーブルを布幅の縮小に適応させる必要がないことを利点とする。更に、ノズル・チューブを平坦化する設計により、筬羽が変形する可能性を少なく留めることが可能である。
【図面の簡単な説明】
【００３１】
【図１】本発明によるストレッチング装置の実施例を示す図である。
【図２】図１と同じ実施例の側面図である。
【図１】
2008063715.tif 000003
【図２】
2008063715.tif 000004